(57)【要約】【課題】本発明は、加熱調理器による加熱調理に伴って発生する臭いや湿気が屋内に拡散する前に吸気し効率的に換気を行うことができる換気装置を提供することを課題とする。【解決手段】本発明の換気装置１は、ＩＨ調理器Ｈの加熱面に対向し加熱調理に伴い発生する臭い，湿気，熱気を吸気するファン２と、ＩＨ調理器Ｈの直上に設けられ、ファン２を内方に収容すると共にＩＨ調理器Ｈの加熱面に対向するように張り出したフード３とを備えている。フード３は、ダクトＤの開口に接続された中空錐形部材３ａと、その中空錘形部材３ａの下部に接続された筐体３ｂ〜３ｄとにより構成されていることを特徴とする。【選択図】図１
2008128579.tif 000002
【特許請求の範囲】
【請求項１】
加熱調理器の上方に位置し、屋内と屋外とを連通する排気ダクトと、
前記排気ダクトの開口付近に設けられ、前記加熱手段の上方の空気を吸気し、その空気を前記排気ダクトを介して屋外へ排気するファンと、
前記加熱手段の直上に位置し、前記ファンを内方に収め、その周囲を覆うフードとを備え、
前記フードは、前記加熱手段側に開口部を有し、前記開口部を前記加熱手段側に移動可能とする伸縮手段を有していることを特徴とする換気装置。
【請求項２】
前記伸縮手段は、互いに径の異なる枠体を同位置平面上に重ね合わせて配置して、伸長時に外方に位置する枠体から順次開口部側に移動し、開口部に向かって径大となるように形成されていることを特徴とする請求項１に記載の換気装置。
【請求項３】
前記伸縮手段は、折り目を境に分割された隣接する面が、互いに重なり合うことで折り畳み可能である伸縮部を備えていることを特徴とする請求項１に記載の換気装置。
【請求項４】
前記排気ダクト内壁に設けられ、先端が前記フードの前記開口部側に取り付けられているワイヤーの基端を巻き取る巻取装置と、
前記巻取装置を前記ワイヤーを巻き取る方向に作動させる、或いは前記ワイヤーを伸ばす方向に作動させる操作を行う操作手段とが更に設けられ、
前記ワイヤーの動きに伴い前記伸縮手段が伸縮することを特徴とする請求項１〜３の何れかに記載の換気装置。
【請求項５】
前記フードに設けられ、調理状態を検知する検知手段と、
この検知手段による検知結果に応じて前記巻取装置を作動させ前記伸縮手段の伸縮制御を実行する制御手段とを更に備えていることを特徴とする請求項４に記載の換気装置。
【請求項６】
前記制御手段は、前記検知手段による検知結果に応じ、前記ファンの回転数を変更する制御を実行することを特徴とする請求項５に記載の換気装置。
【発明の詳細な説明】
【技術分野】
【０００１】
本発明は、屋内の換気を行う換気装置に関する。
【背景技術】
【０００２】
調理による熱，湿気，臭い，燃焼ガスの排出（ガスコンロが設置されている場合）を屋外に排出するために、大半の台所には換気装置（換気扇）が設けられている。換気扇を設ける位置としては、天井だけでなく、ガスコンロやＩＨ（Induction  Heating）調理器等の加熱手段の近傍（例えば、壁面や加熱手段の下方）とすることができる。
【０００３】
効率的に換気を行うために、従来より様々な機能を有する換気扇が提案されている。例えば、温度センサを設け、その温度センサが一定以上の温度を検知すると加熱手段が加熱していると判断し自動的に換気装置が駆動し換気を行うもの（特許文献１参照）、湿度センサを設け、その湿度センサが一定以上の湿度を検知すると換気装置が駆動し換気を行うもの（特許文献２参照）、加熱手段のＯＮ／ＯＦＦに合わせて換気装置が駆動し換気を行うもの（特許文献３参照）等を例示できる。
【０００４】
このような換気装置により、適宜のタイミングで自動的に換気を行うことができるようになった。
【特許文献１】特開平１１−１４１９３６号公報
【特許文献２】特開平１１−２３０２７号公報
【特許文献３】特開２００２−２０６７５８号公報
【発明の開示】
【発明が解決しようとする課題】
【０００５】
ところで、近年においてＩＨ調理器の普及が著しい。ＩＨ調理器は、電磁誘導を利用して調理の加熱を行うため燃焼ガスが発生することがない。そのため、ガスを利用して加熱を行うガス調理器（ガスコンロ）のように燃焼ガスを排出する必要がなくなるため、換気量を少なく抑えることができる。
【０００６】
また、燃焼ガスが発生しないＩＨ調理器を用いて加熱調理を行うと、加熱調理に伴い発生する上昇気流は、燃焼ガスを発生する調理器を使用したときに発生する上昇気流よりも弱い気流となる。この上昇気流は上方に向かって流れるため、天井や壁に換気装置が設けられている場合、換気装置へ加熱調理に伴う臭いや湿気を誘導する役割を果たすものでもある。
【０００７】
しかしながら、燃焼ガスを発生しないＩＨ調理器を用いて加熱調理を行うと、上昇気流が弱いため、臭いや湿気が、天井や壁に設けられた換気装置まで届く前に拡散してしまう虞があった。
【０００８】
そこで、本発明は、燃焼ガスが発生しない加熱調理器による加熱調理に伴って発生する臭いや湿気が屋内に拡散する前に吸気し効率的に換気を行うことができる換気装置を提供することを課題とする。
【課題を解決するための手段】
【０００９】
本発明は上記事項に鑑みてなされたものであり、本発明は、加熱調理器の上方に位置し、屋内と屋外とを連通する排気ダクトと、排気ダクトの開口付近に設けられ、加熱調理器の上方の空気を吸気し、その空気を排気ダクトを介して屋外へ排気するファンと、加熱手
段の直上に位置し、前記ファンを内方に収め、その周囲を覆うフードとを備え、フードは、開口部を加熱調理器側に移動可能とする伸縮手段を有していることを特徴とする。
【００１０】
本発明に係る加熱調理器には、ガス調理器（コンロ），電気調理器，ＩＨ調理器等が含まれる。特に、電気調理器とＩＨ調理器とは、燃焼ガスが発生しないため、加熱調理に伴い発生する上昇気流は弱いものとなる。そのため、湿気や臭いを含んだ上昇気流は、天井や壁に設けられている換気装置に届く前に拡散し、臭いや湿気が屋内に広まり易くなってしまっていた。
【００１１】
しかしながら、本発明の換気装置は、加熱調理器の直上に位置するフードに設けられた伸縮手段を引き伸ばすことにより、フードの開口部を加熱調理器の側に近づけることができる。これにより、湿気や臭いが屋内に拡散する前に吸気することができ、快適な屋内環境を維持することができる。
【００１２】
また、伸縮手段により、加熱調理器からフードの開口部までの距離（高さ位置）を自在に変更することができるため、加熱調理の状態により吸気量を調整することができる。例えば、臭いのある食材を油を使って炒める場合は、直ぐに吸気するために、フードの開口部を調理を行っているフライパンの側に近づけて吸気し、反対にそれほど臭いや湿気の発生しない調理の場合は、フードの開口部をフライパンから遠ざける等して吸気量を調整する。
【００１３】
このように本発明によれば、吸気量を調節するために、ファン容量を大きくする必要がなくなり、換気装置自体の小型化を図ることができる。加えて、本発明によれば、換気装置における作動音を低減させることができる。
【００１４】
また、本発明によれば、調理時に吸気が必要な場合にのみフードを伸ばし加熱手段側に近づけ、調理時以外のときはフードを縮め天井側に収める。これにより、天井に設けられた換気装置の、調理時以外の時の天井における存在感（重量感）を軽減することができる。
【００１５】
また、本発明に係る伸縮手段は、互いに径の異なる枠体を同位置平面上に重ね合わせて配置して、伸長時に外方に位置する枠体から順次開口部側に移動し、開口部に向かって径大となるように形成されているものとすることができる。枠体は、筐体や筒体等、換気装置のデザインや仕様態様に応じたものとすることができる。
【００１６】
これにより、最下方の枠体は最も大きい径の枠体となり、その枠体の周縁にフードが取り付けられる。そのため、フードを下方（加熱調理器側）に引き下げると、枠体が最下方の枠体から順にスライドし、フードの開口部の高さ位置を変化させることができる。
【００１７】
このように、本発明の換気装置は、使用時に伸縮手段を引き伸ばし、未使用時には縮めることができるため、換気装置による天井や壁における重量感を軽減することができる。
【００１８】
その他に、本発明に係る伸縮手段は、折り目を境に分割された隣接する面が、互いに重なり合うことで折り畳み可能である伸縮部を備えている構成としてもよい。この伸縮手段として、例えば、中空の蛇腹部材であったり、上記した大きさの異なる枠体を折り畳み可能な構成としたものを挙げることができる。尚、蛇腹部材を伸縮可能であると共に上下左右方向に屈曲可能に形成することにより、加熱調理器から少し離れた位置に設けられた換気装置にも好適に用いることができる。この場合、フードを横方向に引っ張り、蛇腹部材を引き伸ばし、フードの開口を加熱調理器側に対向させるように引き下げる。このような蛇腹部材を用いることで換気装置と加熱調理器とが対向していない場合においても、加熱
調理により発生した上昇気流を吸気し換気を行うことができる。
【００１９】
さらに、本発明は、排気ダクト内壁に設けられ、先端が前記フードの開口部側に取り付けられているワイヤーの基端を巻き取る巻取装置と、巻取装置をワイヤーを巻き取る方向に作動させる、或いはワイヤーを伸ばす方向に作動させる操作を行う操作手段とが更に設けられた構成としてもよい。尚、操作手段は、巻取装置を操作する操作スイッチであり、加熱調理器の操作スイッチと共に設けたり、リモートコントロール式の操作スイッチとすることができる。
【００２０】
このような構成により、ワイヤーの動きに伴い伸縮手段が伸縮する。つまり、操作手段を操作することで伸縮手段を伸縮させることができる。これにより、フードが下降していない状態の高さまで手が届かない使用者であっても、本発明の換気装置を使用することができる。
【００２１】
また、本発明の換気装置は、フードに設けられ、調理状態を検知する検知手段と、この検知手段による検知結果に応じて巻取装置を作動させ伸縮手段の伸縮制御を行う制御手段とを更に備えた構成としてもよい。加熱調理が行われている時には温度が変化したり、湿度が変化したり、食材によっては臭いが発生する。そのため、検知手段は、調理状態に応じて、温度を検知する温度検知手段、湿度を検知する温度検知手段、臭いを検知する臭い検知手段とすることができる。尚、検知手段は、加熱調理器に近い位置であればフードのどの場所に設けられていても良い。好ましくはフードの開口部付近とすることができる。
【００２２】
さらに、本発明に係る制御手段は、検知手段による検知結果に応じ、ファンの回転数を変更する制御を実行する構成としてもよい。例えば、検知手段が温度検知手段である場合、所定値よりも温度が高いという検知結果であれば、制御手段はファンの回転数を上げ、所定値よりも温度が低いという検知結果であれば制御手段はファンの回転数を下げる制御を実行する。また、検知手段が湿度検知手段である場合、所定値よりも湿度が高いという検知結果であれば制御手段はファンの回転数を上げ、所定値よりも湿度が低いという検知結果であれば制御手段はファンの回転数を下げる制御を実行する。さらに、検知手段が臭い検知手段である場合、検知した臭いの値が所定値以上であるという検知結果であれば制御手段はファンの回転数を上げ、検知した臭いの値が所定値以下であるという検知結果であれば制御手段はファンの回転数を下げる制御を実行する。
【００２３】
このように、検知手段と制御手段を設けたことにより、調理中で手を離せないときや、操作手段の操作を忘れてしまった場合であっても、自動的にフードを下降させることができ、或いはファンの回転速度を上げたり下げたり変更して吸気力を変化させることができるため、確実に換気を行うことができる。
【００２４】
また、本発明の換気装置は、検知手段による検知結果に基づき、伸縮制御と回転数を変更する制御を組み合わせて行うこともできる。例えば、深夜に調理を行う場合や節電を目的とする場合、制御手段は、フードを最下まで下ろすと共にファンの回転数を下げる制御を行う。これにより、少ない回転数でも効率的に吸気を行うことができるとともに消音効果も期待できる。
【００２５】
また、調理時に強い臭いが発生（例えば焼き魚や焼き肉等の調理の際）した場合、制御手段は、フードを最下まで下ろすと共にファンの回転数を上げる制御を行う。これにより、臭いが広がる前に効率的且つ急速に吸気を行うことができる。
【００２６】
さらに、来客に伴う調理時やアイランド型キッチンのように、換気装置の存在に重量感がある場合、制御手段はフードを最上まで上げると共に回転数を上げる制御を実行する。
これにより、換気装置の重量感を減らすことができるだけでなく吸気も確実に行うことができる。
【発明の効果】
【００２７】
本発明によれば、燃焼ガスが発生しない加熱調理器による加熱調理に伴って発生する臭いや湿気が屋内に拡散する前に吸気し効率的に換気を行うことができる換気装置を提供することが可能となる。
【発明を実施するための最良の形態】
【００２８】
以下、本実施形態における換気装置について図面を参照し詳説する。尚、本実施形態の換気装置は、加熱手段を電磁誘導によるものとした既存のＩＨ（Induction  Heating）調理器を加熱調理器として用いているキッチンに設けられているものとして説明するが、これに限定するものではなく、ガス調理器や電気調理器を加熱調理器として用いたキッチンにも好適に用いることができる。
【００２９】
＜実施例１＞
図１に本実施形態の換気装置１の使用状態の図を示す。換気装置１は、ＩＨ調理器Ｈの加熱面に対向し加熱調理に伴い発生する臭い，湿気，熱気を吸気するファン２と、ファン２を内方に収容すると共にＩＨ調理器Ｈの加熱面に対向するように張り出したフード３とを備えている。
【００３０】
また、図２中Ａに本実施例における換気装置１の制御ブロック図を示す。本実施例の換気装置１は、装置全体の電気的な制御を行う制御マイコン４と、制御マイコン４にファン２を駆動させるための信号を発するファン駆動スイッチ５と、ファン２を駆動させるファン駆動回路６とを備えている。
【００３１】
また、本実施例におけるフード３は、図１に示すように、屋内と屋外とを連通するダクトＤの開口に接続された中空錐形部材３ａと、その中空錘形部材３ａの下部に接続された筐体（枠体）３ｂ〜３ｄとにより構成されている。尚、ファン２は、中空錘形部材３ａと筐体３ｂとの中空内に位置するように固定されている。
【００３２】
図３に示すように、筐体３ｂ〜３ｄはそれぞれの大きさが異なっている。本実施例では、最下方（最もＩＨ調理器Ｈに近い方）に位置する筐体を筐体３ｄとし最も大きいものとする。それに伴い、筐体３ｄの内方に筐体３ｃが収容され、筐体３ｃの内方に筐体３ｂが収容される。
【００３３】
筐体３ｂは中空であり、上下に開口部７ａ，７ｂを有している。筐体３ｂの上部には中空錘形部材３ａが取り付けられている。一方、筐体３ｂの下部の周縁には、筐体３ｂの外側面よりも外方に向かって延出した鍔部８が形成されている。
【００３４】
また、筐体３ｃも筐体３ｂと同様に、内部が中空であり、上下に開口部９ａ，９ｂを有している。筐体３ｃの上部の開口部９ａの開口の大きさと形状は、筐体３ｂの外径及び外形と略同じに形成されている。つまり、筐体３ｃの開口部９ａは筐体３ｂを嵌入することができるサイズ・形状となっており、開口部９ａの周縁は縁部１０が形成されている。一方、筐体３ｃの下部の周縁には、筐体３ｃの外側面よりも外方に向かって延出した鍔部１１が形成されている。
【００３５】
さらに、筐体３ｄも筐体３ｂ及び３ｃと同様に、内部が中空であり、上下に開口部１２ａ，１２ｂを有している。尚、本実施例では筐体３ｄの下部に設けられた開口部１２ｂがフード３の開口部ということになる。
【００３６】
筐体３ｄの上部の開口部１２ａの開口の大きさと形状は、筐体３ｃの外径及び外形と略同じに形成されている。つまり、筐体３ｄの開口部１２ａは、筐体３ｃの外形を嵌め込むことができるサイズ・形状となっており、開口部１２ａの周縁は縁部１３が形成されている。一方、筐体３ｄの下部の周縁には鍔部は形成されておらず、開口部１２ｂが形成されているだけである。尚、筐体３ｄの側面又は下端部には、使用者が筐体３ｄの昇降を行う際に把持する取手部Ｔが設けられている。取手部Ｔの位置は、使用者が使いやすい位置であればこの場所に限定されない。
以上が、筐体３ｂ〜３ｄの構造である。
【００３７】
図３に示すように、これらの筐体３ｂ〜３ｄが完全に引き伸ばされた状態とするには、筐体３ｄを下方（ＩＨ調理器Ｈ側）に引き下ろし、筐体３ｂの鍔部９と筐体３ｃの縁部１０とを係合させ、筐体３ｃの鍔部１１と筐体３ｄの縁部１３とを係合させる。
【００３８】
また、筐体３ｂ〜３ｄを元の位置に戻すには、筐体３ｄを上方（中空錘形部材３ａ側）に押し上げることで、それぞれの鍔部と縁部との係合状態が解除され、筐体３ｃが筐体３ｄ内に移動し、筐体３ｂが筐体３ｃ内に移動することで元の位置に戻る。尚、本実施例では筐体を三つ重ねたものとして説明したが、使用環境（例えば天井の高さやダクトの位置等に応じて）や使用者が希望する仕様に応じて筐体の数を増減させることができるものとする。これにより、本実施例の換気装置の汎用性及びカスタマイズ性を向上させることができる。
【００３９】
以上のように、筐体３ｂ〜３ｄを伸縮移動させて、フード３の開口部（筐体３ｄの開口部１２ｂ）をＩＨ調理器Ｈ側に向かって移動させることで、ＩＨ調理器Ｈによる加熱調理に伴い発生する上昇気流を低い位置で捕らえ、ファン２の駆動により吸気することができる。
【００４０】
これにより、ＩＨ調理器Ｈによる加熱調理に伴う臭いや湿気が室内に拡散してしまうことを極力防ぐことができる。そのため、本実施例の換気装置１は、キッチンが部屋の中央に独立して設置されており、加熱調理に伴い臭いや湿気が室内に充満しやすいアイランド型キッチンに好適に用いることができる。
【００４１】
＜実施例２＞
本実施例の換気装置は、フードの伸縮手段に蛇腹部材を用いたことを特徴とする。尚、本実施例の換気装置は、フードの伸縮手段のみが実施例１の換気装置１と異なるため、同一の構成には実施例１と同様の符号を付して説明を簡略化する。
【００４２】
図５に本実施例の換気装置１を示す。本実施例の換気装置１は、ダクトＤとフード３との間に蛇腹部材１４が設けられている。蛇腹部材１４は内部が中空であり上下が開口している。蛇腹部材１４の上部はダクトＤの開口部と接続し、蛇腹部材１４の下部はフード３に接続している。尚、図示しないが、この場合のファンは、蛇腹部材１４の内部に位置している。
【００４３】
この場合、フード３をＩＨ調理器Ｈ側に引き下げると、蛇腹部材１４が伸び、フード３の開口高さ位置が下がる。これにより、加熱調理に伴い発生する上昇気流を低い位置で捕らえることができ、室内に臭いや湿気が拡散してしまうことを防ぐことができる。
【００４４】
また、本実施例のその他の態様として、図６に示すように、フード３の開口に蛇腹部材を設けた態様を例示できる。この場合は、蛇腹部材１４をＩＨ調理器Ｈ側に直接ひきのばして吸気を行う。
【００４５】
＜実施例３＞
上記した実施例１及び２の換気装置は、フードの昇降を使用者が手動によって行うものとして説明したが、本実施例の換気装置は、操作スイッチの操作によりフードの昇降を行うことを特徴とする。尚、本実施例の説明では、実施例１の換気装置と同様の構成であるため同一の構成には実施例１と同一の符号を付して説明を簡略化する。
【００４６】
図７及び図８に示すように、本実施例の換気装置１は、排気ダクトＤの内壁にワイヤー１５を保持している巻取装置１６が固定されている。尚、本実施例の巻取装置１６には、駆動源となるモータ（不図示）が内蔵されているものとする。
【００４７】
また、ワイヤー１５は、先端がフード３（本実施例では筐体３ｄ）内部の開口部１２ｂ側に取り付けられており、基端は巻取装置１６に巻き取られている。
【００４８】
さらに、図９に示すように、本実施例の換気装置１には、フード３を昇降させる巻取装置１６の作動を操作する操作スイッチ（操作手段）１７が設けられている。操作スイッチ１７には、フード３の開口位置を下降させるスイッチと、フード３を元の位置に戻す（上昇させる）スイッチとを含んでいる。
【００４９】
また、操作スイッチ１７は、図９（ａ）に示すようにフード３の側面に設けてもよいし、ＩＨ調理器Ｈの操作部と一緒に設けてもよいし、換気装置１に受信部を設け、リモートコントローラ装置に操作スイッチ１７を設けてもよい。
【００５０】
また、図２中Ｂに本実施例の換気装置１の制御ブロック図を示す。本実施例の換気装置１は、実施例１の換気装置１と同じく、ファン２を駆動させるための構成（制御マイコン４，ファン駆動スイッチ５，ファン駆動回路６）を有している。
【００５１】
さらに、本実施例の換気装置１は、巻取装置１６を駆動させるための巻取装置駆動回路１８をさらに有している。これにより、操作スイッチ１７が操作されると制御マイコン４は巻取装置駆動回路１８に駆動指示を出力する。
以上が本実施例の換気装置１の構成である。
【００５２】
次に、本実施例の換気装置１におけるフード３の昇降動作について詳説する。なお、フード３は、上昇させるためのスイッチ（操作スイッチ１７）が既に操作されたことにより、図７に示すように、フード３の筐体３ｂ〜３ｄが重なった状態（伸びていない）、すなわちワイヤー１５が巻取装置１６により完全に巻き取られた状態になっているものとする。つまり、巻取装置１６により完全に巻き取られたワイヤー１５が、筐体３ｂ〜３ｄを重ねた状態で吊り下げている状態になっているものとする。
【００５３】
そして、フード３を下降させるためのスイッチ（操作スイッチ１７）を操作すると、制御マイコン４は、駆動回路１８に巻取装置１６がワイヤー１５の巻き取りとは反対の動作、つまり、ワイヤー１５を下方（ＩＨ調理器Ｈ側）に伸ばす動作を実行するよう指示を出力する。これによりワイヤー１５がＩＨ調理器Ｈ側に伸び、それぞれの内方に収容され重なり合っていた筐体３ｂ〜３ｄが引き出される。尚、操作スイッチ１７を再度押下することにより、巻取装置１６の動作を停止させ、筐体３ｂ〜３ｄがワイヤー１５に吊り下げられた状態とし、その位置で筐体３ｂ〜３ｄの引き出し状態を止めることができる。つまり、使用者は、使用状態や使用態様に応じて、任意の位置で筐体３ｂ〜３ｄの引き出し状態を停止させることができる。これによりユーザビリティを高めることができる。
【００５４】
また、操作スイッチ１７をＩＨ調理器Ｈの操作部と一緒に設けたり、リモートコントロ
ーラ装置としたりすることにより、フード３の昇降動作を誰でも行うことができる。つまり、換気装置のユニバーサルデザイン化を図ることができる。
【００５５】
＜実施例４＞
本実施例の換気装置は、加熱調理に伴い発生する臭いの度合いに応じて自動的にフードの開口位置を調節することができることを特徴とする。なお、本実施例の換気装置は、実施例３の換気装置と同様の構成であるため同一の構成には実施例３と同一の符号を付して説明を簡略化し、異なる構成について詳説する。
【００５６】
図１０及び図１１に示すように、本実施例の換気装置１は、臭いセンサ（検知手段）１９を備えている。本実施例では、臭いセンサ１９は、フード３の筐体３ｄの開口部１２ｂ付近に設けられているが、加熱調理中に発生する臭いを検知し易くする位置であればその位置に限定されない。
【００５７】
また、図２中Ｃに本実施例の換気装置１の制御ブロック図を示す。本実施例の換気装置１は、実施例３の換気装置１と同じく、ファン２の駆動を制御する制御マイコン４と、制御マイコン４からの信号を受けファン２を駆動させるためのファン駆動回路６と、制御マイコン４へファン２の駆動信号（駆動開始及び駆動停止を含む）を発するファン駆動スイッチ（本実施例の動作スイッチ）５と、巻取装置駆動回路１８とを有している。なお、本実施例では動作スイッチ５の操作により、巻取装置１６が自動制御されて作動する構成なので、操作スイッチ１７は直接必要ではないが、操作スイッチ１７は操作された場合は、実施例３のようにフード３が昇降するものとする。
【００５８】
さらに、換気装置１は、臭いセンサ１９からの出力電圧を信号に変換する演算回路２０と、変換された信号を受け付けるセンサマイコン２１を有している。このセンサマイコン２１は、演算回路２０にて変換された信号を受けて、臭いセンサ１９により検知した臭いを示す値の基準値の設定及び更新を行い、基準値に対する変化量に応じて制御マイコン４を介してファン駆動回路６へ信号を出力する。尚、センサマイコン２１内には、臭いセンサ１９が検知した臭いを示す値の履歴情報やその値の強弱を示す基準値等の情報を記憶するメモリ（不図示）が内蔵されているものとする。臭いの強弱を示す基準値は予め設定した値を記憶させておく。
以上が、実施例４の換気装置１の構成である。
【００５９】
次に、実施例４の換気装置１による動作制御について説明する。図１２に本実施例の換気装置１の動作フローを示す。
ファン駆動スイッチ（動作スイッチ）５（図２参照）が操作されＯＮとなると（Ｓ０１）、制御マイコン４は、巻取装置１６がワイヤー１５を完全に巻き取っている状態であることを確認し（Ｓ０２）、ファン２を回転駆動させ（Ｓ０３）、通常の低速回転の換気状態にする（Ｓ０４：ファン回転速度低）。
【００６０】
次に、センサマイコン２１は、臭いセンサ１９が臭いを検知したか否かを判断しその判断結果を制御マイコン４に出力する（Ｓ０５）。ここで、センサマイコン２１が臭いを検知したと判断した場合（センサマイコン２１から制御マイコン４に出力があった場合）、制御マイコン４はワイヤー１５を伸ばす動作を行う信号を巻取装置駆動回路２１に出力し、巻取装置１６が作動し、フード３の開口位置を下降させる処理を行う（Ｓ０６）。すなわち、制御マイコン４は、フード３の開口高さをＩＨ調理器Ｈ側（下方）に最大限近づける信号を出力し、巻取装置駆動回路２１はこの信号を受信すると、巻取装置１６を作動させる。
【００６１】
すると、ワイヤー１５が伸び、互いに重なり合い収容されていたフード３の筐体３ｂ〜
３ｄが完全に引き出された状態になる。なお、センサマイコン２１が臭いを検知している間、制御マイコン４は、ステップ０６の処理（「フード下降」）状態を維持する。また、制御マイコン４は既にフード３の開口位置が下降状態にある場合、制御マイコン４は、ステップ０６の処理（「フード下降」）をパスしてステップ０７の判断処理へ移行する。
【００６２】
Ｓ０７の判断処理において、センサマイコン２１は、臭いセンサ１９が検知した臭いを示す値と基準値（履歴値を含む）との比較において大きな差があるか（すなわち、臭いが強いか）否かを判断しその判断結果を制御マイコン４に出力する。
【００６３】
Ｓ０７の判断処理の結果、基準値と大きな差がない（臭いが強くない）と判断した場合（センサマイコン２１から制御マイコン４に出力がない場合）、制御マイコン４は、ステップ０４の処理に移行し、通常の低速回転の換気状態（ファンの回転数を下げる）にし、ステップ０５以降の処理を繰り返す。
【００６４】
一方、センサマイコン２１が基準値と大きな差がある（臭いが強い）と判断した場合（センサマイコン２１から制御マイコン４に出力があった場合）、制御マイコン４は、ファン２の回転数を上げ吸気力を強くする信号を、ファン駆動回路６に出力し（Ｓ０８：ファン回転速度高）、ステップ０７の判断処理を繰り返す。
【００６５】
一方、ステップ０５で、臭いを検知していないと判断した場合（センサマイコン２１から制御マイコン４に出力がない場合）は、ステップ０９の処理に移行する。ステップ０９では、制御マイコン４により、ワイヤー１５が巻き取られている状態と比較してフード３が下降状態にあるか否かを判断され、フード３が下降状態にあれば、巻取装置駆動回路２１にフード３を元の状態（筐体３ｂ〜３ｄが互いに重なりあって収容された状態）に戻すための信号（「フード上昇」）を出力する。この信号を受信した巻取装置駆動回路２１は、巻取装置１６を動作させワイヤー１５を巻き取り、フード３の開口位置を上昇させる。尚、既にフード３の開口位置が上昇状態にある場合、制御マイコン４は、ステップ０９の処理（「フード上昇」）をパスしてステップ１０の処理へ移行する。
【００６６】
ステップ１０では、図示しないがＩＨ調理器Ｈに設けられている加熱を開始させるための加熱スイッチがＯＦＦになっているか否かを判断する。ここで、制御マイコン４が加熱スイッチがＯＦＦであると判断した場合、制御マイコン４はファン２の回転駆動を停止させる制御を実行し（Ｓ１１）本制御は終了する。
【００６７】
一方、ステップ１０で、制御マイコン４が、加熱スイッチがＯＦＦではないと判断した場合、ステップ０５に戻りそれ以降の処理を繰り返す。
【００６８】
尚、実施例４の制御マイコン４は、臭いセンサ１９が検知した臭いを示す値と基準値（又は前回検知した履歴値）との差によりファン２の回転数を調整する。例えば、今回検知した値と前回検知した履歴値にそれほど差が無い場合は、センサマイコン２１は、ファンの２の回転数を少なくして吸気力を弱くする信号を出力し、差が大きい場合はファンの回転数を多くして吸気力を強くする信号を出力することもできる。
【００６９】
また、臭いセンサ１９が検知した臭いを示す値と基準値とにそれほど差が無い場合、制御マイコン４は、フード３の開口を図１１に示す状態までＩＨ調理器Ｈ側（下方）に下降させなくてもよいと判断し、所定の高さ位置（例えば、筐体３ｄのみが引き伸ばされた位置）まで移動する信号を出力するようにしてもよい。この構成の場合、巻取装置駆動回路２１がこの信号を受信すると、巻取装置１６が作動し、フード３の開口がその高さに移動するまでワイヤー１５が伸びる。
【００７０】
さらに、換気装置１の動作制御中に、動作スイッチ（ファン駆動スイッチ）５のＯＦＦ（動作終了指示）信号を制御マイコン４が受信すると、制御マイコン４はフード３を元の状態に戻すための信号（「フード上昇」）を巻取装置駆動回路２１に出力し、巻取装置１６を動作させてフード３の開口位置を上昇させると共にファン２の回転駆動を停止させるためのシーケンス制御機能を設けてもよい。
【００７１】
以上のように、本実施例の換気装置１によれば、臭いの強弱に応じて自動的にフード３の開口を上昇させたり下降させたりすることができる。これにより、臭いが室内に拡散するまえに、自動的にフード３の開口位置を下降させて吸気することができ、室内環境を正常に保つことができる。
【００７２】
また、臭いの度合いにより、ファンの回転数を上げたり下げたりして吸気力を変化させることができるため、室内環境を一定に保つことができる。
【００７３】
さらに、臭いセンサ１９の検知結果に基づき、自動的にフード３の昇降を行うため、調理で手が離せない場合や、調理に集中してしまってフード３の昇降を行うことを忘れてしまったとしても、確実に室内の換気を行うことができる。
【００７４】
以上のように、実施例１〜４の換気装置によれば、加熱調理時に発生する上昇気流が弱いＩＨ調理器にて加熱調理を行った場合であっても、換気装置のフードの開口位置がＩＨ調理器側に移動し近づいた状態で吸気を行うことができる。これにより、臭いや湿気が室内に拡散する前に効率的に吸気を行うことができるため、室内環境を正常（一定）に保つことができる。
【００７５】
また、室内環境を正常に保つことができることにより、実施例１〜４の換気装置は、キッチンが独立し、加熱調理時に臭いや湿気が室内に拡散してしまいやすいアイランド型キッチンにおける換気装置としても好適に用いることができる。
【００７６】
さらに、実施例１〜４の換気装置によれば、調理時に吸気が必要な場合にのみフードを伸ばし加熱手段側に近づけ、調理時以外のときはフードを縮め天井側に収めることができる。これにより、天井における換気装置の存在感（重量感）が目立ちやすいアイランド型キッチンにおいて、調理時以外の時の換気装置の存在感（天井における重量感）を軽減することができる。
【図面の簡単な説明】
【００７７】
【図１】実施例１における換気装置の仕様状態を示す図である。
【図２】実施例１〜４における換気装置の制御ブロック図である。
【図３】実施例１に係るフードを引き伸ばした状態の斜視図である。
【図４】実施例１に係るフードを縮めた（収容した）状態の斜視図である。
【図５】実施例２における換気装置を示す図である。
【図６】実施例２における換気装置を示す図である。
【図７】実施例３における換気装置のフードが縮まった（収容された）状態を示す図である。
【図８】実施例３における換気装置のフードを伸ばした状態を示す図である。
【図９】実施例３に係る操作スイッチの位置を示す図である。
【図１０】実施例４における換気装置のフードが縮まった（収容された）状態を示す図である。
【図１１】実施例４における換気装置のフードを伸ばした状態を示す図である。
【図１２】実施例４における換気装置の制御フローである。
【符号の説明】
【００７８】
１  換気装置
２  ファン
３  フード
３ａ  中空錐形部材
３ｂ〜３ｄ  筐体（伸縮手段，枠体）
４  制御マイコン（制御手段）
５  ファン駆動スイッチ
６  ファン駆動回路
７ａ，７ｂ  開口部
８  縁部
９  鍔部
９ａ，９ｂ  開口部
１０  縁部
１１  鍔部
１２ａ，１２ｂ  開口部
１３  縁部
１４  蛇腹部材
１５  ワイヤー
１６  巻取装置
１７  操作スイッチ（操作手段）
１８  巻取装置駆動回路
１９  臭いセンサ（検知手段）
２０  演算回路
２１  センサマイコン
Ｄ  排気ダクト
Ｈ  ＩＨ調理器（加熱調理器）
Ｔ  取手部
【図１】
2008128579.tif 000003
【図２】
2008128579.tif 000004
【図３】
2008128579.tif 000005
【図４】
2008128579.tif 000006
【図５】
2008128579.tif 000007
【図６】
2008128579.tif 000008
【図７】
2008128579.tif 000009
【図８】
2008128579.tif 000010
【図９】
2008128579.tif 000011
【図１０】
2008128579.tif 000012
【図１１】
2008128579.tif 000013
【図１２】
2008128579.tif 000014